(57)【要約】【課題】手動スイッチの切換忘れによるアタッチメントの不具合作動を防止することができる建設機械におけるアタッチメント切替装置を提供する。【解決手段】フロント装置３の先端側に装着すべきアタッチメントに応じて、手動スイッチ２４の操作により、このアタッチメントに圧油を供給する可変容量形の油圧ポンプ１９の傾転角度を調整可能にした建設機械において、前記手動スイッチ２４とこれに接続する電源２５との間に設けた受け栓接点１３を、前記フロント装置３の先端側に配置し、前記受け栓接点１３を閉成または開成する操作接点１４を、前記アタッチメントに取付けたことを特徴とする。【選択図】  図１
2006265828.tif 000002
【特許請求の範囲】
【請求項１】
フロント装置の先端側に装着すべきアタッチメントに応じて、手動スイッチの操作により、このアタッチメントに圧油を供給する可変容量形の油圧ポンプの傾転角度を調整可能にした建設機械において、
前記手動スイッチとこれに接続する電源との間に設けた受け栓接点を、前記フロント装置の先端側に配置し、
前記受け栓接点を閉成または開成する操作接点を、前記アタッチメントに取付けたことを特徴とする建設機械におけるアタッチメント切替装置。
【請求項２】
前記受け栓接点及び操作接点を、雄形及び雌形の接触端子としたことを特徴とする請求項１に記載の建設機械におけるアタッチメント切替装置。
【請求項３】
前記受け栓接点及び操作接点を、近接スイッチとしたことを特徴とする請求項１に記載の建設機械におけるアタッチメントの切替装置。
【発明の詳細な説明】
【技術分野】
【０００１】
本発明は、建設機械のフロント装置に装着されるアタッチメント切替装置に係わり、更に詳しくは、他のアタッチメントに組み替える際の手動スイッチの切換操作忘れによる不具合を防止することができる建設機械におけるアタッチメント切替装置に関する。
【背景技術】
【０００２】
油圧ショベル等の建設機械においては、その多関節型フロント装置の先端に設け掘削用のバケットを取り外し、例えばバイブレータ等のアタッチメントを組付けて、破砕機として使用することがある。アタッチメントはそれぞれの仕様を有しており、例えば動作に必要な作動油量が異なっている。
【０００３】
このため、各仕様の異なるアタッチメントに組み替えて仕様する場合には、装着するアタッチメントに応じた作動油量を確保するために、運転室内に設置した手動スイッチを操作して、アタッチメントに接続する可変容量形の油圧ポンプの傾転角を調整するものがある（例えば、特許文献１参照。）。
【０００４】
【特許文献１】特開平１０−８５０７号公報。
【発明の開示】
【発明が解決しようとする課題】
【０００５】
上記従来技術においては、手動スイッチの切換え操作により、装着するアタッチメントに応じた作動油量を確保することができるが、手動スイッチの切換え操作を間々忘れることがある。このように手動スイッチの切換え操作を行わずに、他のアタッチメントを装着した場合において、このアタッチメントは、以前に装着したアタッチメントの作動油量によって作動されることになり、不具合を生じる。
【０００６】
即ち、多量の作動油を必要とするアタッチメントを取り外し、少量の作動油量で十分なアタッチメントを装着した場合、手動スイッチの切換忘れにより、この少量の作動油量で十分なアタッチメントに多量の作動油が必要以上に供給されるため、アタッチメントは破損事故を起こすことがある。
【０００７】
また、上述とは逆に、少量の作動油量で十分なアタッチメントを取り外し、多量の作動油を必要とするアタッチメントを装着した場合、手動スイッチの切換忘れにより、この多量の作動油を必要とするアタッチメントに少量の作動油量しか供給されないため、アタッチメントの作業速度が低下し、作業性が悪化する。
【０００８】
本発明は、上述の問題点を解決するためになされたもので、手動スイッチの切換忘れによるアタッチメントの不具合作動を防止することができる建設機械におけるアタッチメント切替装置を提供することを目的とする。
【課題を解決するための手段】
【０００９】
本発明は、上記の目的を達成するために、第１の発明は、フロント装置の先端側に装着すべきアタッチメントに応じて、手動スイッチの操作により、このアタッチメントに圧油を供給する可変容量形の油圧ポンプの傾転角度を調整可能にした建設機械において、前記手動スイッチとこれに接続する電源との間に設けた受け栓接点を、前記フロント装置の先端側に配置し、前記受け栓接点を閉成または開成する操作接点を、前記アタッチメントに取付けたことを特徴とする建設機械におけるアタッチメント切替装置にある。
【００１０】
また、第２の発明は、第１の発明において、前記受け栓接点及び操作接点を、雄形及び雌形の接触端子としたことを特徴とする建設機械におけるアタッチメント切替装置にある。
【００１１】
更に、第３の発明は、第１の発明において、前記受け栓接点及び操作接点を、近接スイッチとしたことを特徴とする建設機械におけるアタッチメント切替装置にある。
【発明の効果】
【００１２】
本発明によれば、手動スイッチの切換忘れによる装着後のアタッチメントの不具合作動を防止することができるので、装着されたアタッチメントの始動性が向上する。
【発明を実施するための最良の形態】
【００１３】
以下、本発明の建設機械におけるアタッチメント切替装置の実施の形態を図面を用いて説明する。  
図１は、本発明のアタッチメント切替装置の一実施の形態を備えた建設機械の正面図である。この図１においては、アタッチメントＡとして、地面に目地を切り込む目地切り機１を、油圧ショベルを基本構成とする建設機械２のフロント装置３に設けた例を示している。
【００１４】
建設機械２は、本体４と、この本体４の側部に設けた走行体５と、本体４上に旋回可能に設けた旋回体６と、旋回体６の後方側に設けた原動機７と、前記旋回体６の前方側に設けた運転室８とで構成されている。
【００１５】
建設機械２のフロント装置３は、前記旋回体６の前方側に俯仰動可能に設けたブーム９及びこのブーム９の先端に回動可能に設けたアームを備えているが、この例では前述したアタッチメントＡとなる目地切機１を装着する関係上、アームを取り除いている。ブーム９は、ブーム操作用シリンダ１０によって俯仰動する。
【００１６】
ブーム９の先端には、目地切り機１が傾動可能に装着されている。この目地切り機１には、アーム操作用シリンダ１１が連結されており、このアーム操作用シリンダ１１によって図１の紙面上、左右方向に傾動する。
【００１７】
目地切機１は、その目地切りカッタ１Ａを上下方向に振動させる振動部１Ｂと、目地切りカッタ１Ａを地面に向かって押圧するシリンダ１Ｃとで構成されている。
【００１８】
アタッチメントＡとなる目地切機１とブーム９の先端との間には、接離可能なコネクタ装置１２が設けられている。このコネクタ装置１２は、図２に示すようにブーム９の先端側に配設された２つの雌型接続端子１３Ａを有する受け栓接点１３と、この受け栓接点１３を閉成または開成する２つの雄形接続端子１４Ａを有する操作接点１４とで構成されている。
【００１９】
図１に戻り、コネクタ装置１２の操作接点１４は、ワイヤ、チェーン等の転結部材１５によって、アタッチメントＡ、この例では目地切機１に取り付けられている。コネクタ装置１２の受け栓接点１３は、建設機械２側の操作回路に接続している。
【００２０】
図３は、本発明のアタッチメント切替装置の一実施の形態を備えた建設機械の操作回路図を示すもので、この図において、図１及び図２と同符号のものは同一部分である。目地切機１（アタッチメントＡ）は、その配管継ぎ手１６によって油圧配管１７が接続される。この配管１７は、アタッチメント操作切替弁１８を介して可変容量形油圧ポンプ１９に連結している。
【００２１】
可変容量形油圧ポンプ１９には、その傾転角度を調節する傾転角調節器２０が設けられている。この傾転角調節器２０は、この例では圧油が作用していないときには、ばね２０Ａによって傾転角度が小さくなるように設定され、またばね２０Ａに抗して圧油が作用すると、傾転角度が大きくなるように設定されている。
【００２２】
可変容量形油圧ポンプ１９の傾転角調節器２０には、油圧源２１からの圧油の給排を行う電磁切替弁２２が接続されている。この電磁切替弁２２は、図３に示す左位置のときは、油圧源２１から傾転角調節器２０への圧油の供給を遮断し、図３に示す右位置のときは、油圧源２１からの圧油を傾転角調節器２０に供給する。
【００２３】
電磁切替弁２２のソレノイド２２Ａには、信号線２３が接続されている。この信号線２３は、装着するアタッチメンチＡに応じたポンプ吐出量を設定する手動スイッチ２４、前述したコネクタ装置１２を構成する２つの雌型接続端子１３Ａを有する受け栓接点１３を介し電源２５に接続されている。信号線２３は、図１に示すように受け栓接点１３がブーム９の先端側に位置するように、例えばブーム９の上面に配設されている。
【００２４】
図３に戻り、受け栓接点１３には、アタッチメントＡが装着されているときには、図１及び図２に示した操作接点１４が通常挿入されて、受け栓接点１３を閉成している。また、操作接点１４は、前述した手動スイッチ２４を投入した状態でアタッチメントＡをフロント装置３から取り外す際に、コネクタ装置１２を構成する受け栓接点１３から引き抜かれ、受け栓接点１３を開成し、信号線２３を断路する。
【００２５】
次に、上述した本発明のアタッチメント切替装置の一実施の形態の動作を説明する。  
図２に示す手動スイッチ２４を投入して、可変容量形油圧ポンプ１９の傾転角度を大きく設定して、アタッチメント操作切替弁１８を操作することにより、可変容量形油圧ポンプ１９から多量の作動圧油が、図１に示すアタッチメントＡとしての目地切機１に供給されるので、目地切機１はその圧油を受けて目地切り作業を行う。この目地切機１は目地切りカッタ１Ａを上下方向に振動させる振動部１Ｂと、目地切りカッタ１Ａを地面に向かって押圧するシリンダ１Ｃとを備えているため、多量の作動圧油を必要としている。
【００２６】
目地切機１による目地切り作業が終了し、他の作業、例えば破砕作業を行う場合には、前述の目地切機１よりも作動圧油量の小さいバイブレータに切替装着するが、その際、前述した手動スイッチ２４の投入を解除することを忘れて、投入した状態で、バイブレータを装着した場合には、コネクタ装置１２の操作接点１４を、受け栓接点１３に投入しない限り、目地切機１用に設定された多量の作動圧油が、作動圧油量の小さいバイブレータに供給されることがないので、バイブレータを破損させる等の事故を回避することができる。
【００２７】
コネクタ装置１２の操作接点１４を、受け栓接点１３に投入する場合には、手動スイッチ２４の投入を解除したのち、操作接点１４を受け栓接点１３に投入する。
【００２８】
上述の実施の形態においては、手動スイッチ２４の投入により、電磁切替弁２２を切り替えて可変容量形油圧ポンプ１８の傾転角を大きくするようにした場合について説明したが、これとは逆に手動スイッチ２４の投入により、電磁切替弁２２を切り替えて可変容量形油圧ポンプ１９の傾転角を小さくするようにした場合において、多量の作動圧油が必要なアタッチメントを装着した場合の作動油不足による作業のもどかしさ等の不具合も解消することができる。
【００２９】
本発明の実施の形態によれば、手動スイッチ２４の切換忘れによる装着後のアタッチメントの不具合作動を防止することができるので、装着されたアタッチメントの始動性が向上する。また、簡易なコネクタ装置１２により、装着されたアタッチメントに対する不具合を解消することができ、アタッチメント装着後の作業の安全性を高めることができる。更に、コネクタ装置１２の操作接点１４は、アタッチメントＡに常に付設されているので、その紛失もなく、その投入、解除操作も容易である。
【００３０】
図４は、本発明に用いるコネクタ装置１２の他の例を示すもので、この図において、図２と同符号のものは同一部分である。このコネクタ装置１２は、その操作接点１４をピン状又は板状の部材１４Ｂの先端側に、受け栓接点１３の雌型接続端子１３Ａと導通する導体部１４Ｃを設けた構成したものである。
【００３１】
このコネクタ装置１２においても、上述した実施の形態と同様な効果を奏することができる。
【００３２】
なお、上述の実施の形態において、コネクタ装置１２として、接触式のものを用いたが、非接触形式の近接スイッチを用いることもできる。その場合は、近接スイッチをブーム９の先端に設け、アタッチメントＡがブーム９への装着されたときに、近接スイッチにてその状態を検出するようにする。
【図面の簡単な説明】
【００３３】
【図１】本発明のアタッチメント切替装置の一実施の形態を備えた建設機械の正面図である。
【図２】本発明のアタッチメント切替装置の一実施の形態を拡大して示す正面図である。
【図３】本発明のアタッチメント切替装置の一実施の形態を備えた建設機械の操作回路図である。
【図４】本発明のアタッチメント切替装置の他の実施の形態を拡大して示す正面図である。
【符号の説明】
【００３４】
１        目地切り機
２        建設機械
３        フロント装置
１２      コネクタ装置
１３      受け栓接点
１４      操作接点
１９      可変容量形油圧ポンプ
２０      傾転角調節器
２２      電磁切替弁
２４      手動スイッチ
２５      電源
【図１】
2006265828.tif 000003
【図２】
2006265828.tif 000004
【図３】
2006265828.tif 000005
【図４】
2006265828.tif 000006